(57)【要約】【課題】本発明は、レンズモジュールの密封精度を高めることができるレンズモジュール及びその組み立て方法を提供することを目的とする。【解決手段】本発明のレンズモジュールは、レンズホルダー、鏡筒及びセンサーモジュールを備える。センサーモジュールは、支持板及びセンサーを備え、前記センサーは前記支持板に設置され；前記レンズホルダーの一端は前記支持板に固定され、前記センサーは前記レンズホルダー及び前記支持板によって形成された収容空間の内部に収容され；前記鏡筒は前記センサーに向かう底面を備え、前記鏡筒の前記底面上には垂直に延伸して形成された少なくとも三つの円柱が設けられ、各円柱は底面と離間する面に円形の円形端面を備え、少なくとも三つの円柱の円形端面の中心が、定位円の円周を形成し、前記定位円の中心は、鏡筒とセンサーとの光軸と一致する。【選択図】図４
2013174878.tif 000002
【特許請求の範囲】
【請求項１】
レンズホルダー、鏡筒及びセンサーモジュールを備えるレンズモジュールにおいて、
前記センサーモジュールは、支持板及びセンサーを備え、前記センサーは前記支持板に設置され；
前記レンズホルダーの一端は前記支持板に固定され、前記センサーは前記レンズホルダー及び前記支持板によって形成された収容空間の内部に収容され；
前記鏡筒は前記センサーに向かう底面を備え、前記鏡筒の前記底面上には垂直に延伸して形成された少なくとも三つの円柱が設けられ、各円柱は底面と離間する面に円形の円形端面を備え、少なくとも三つの円柱の円形端面の中心が、定位円の円周を形成し、前記定位円の中心は、鏡筒とセンサーとの光軸と一致することを特徴とするレンズモジュール。
【請求項２】
前記レンズホルダーは、収容部及び支持部を備え、前記収容部は、上表面及び前記上表面と反対側の下表面を備え、前記支持部は、レンズホルダーの前記下表面における周辺に近接する位置に設置されることを特徴とする請求項１に記載のレンズモジュール。
【請求項３】
画像ポジショニングシステムを準備し、画像ポジショニングシステムの所定プログラムによって、取得した画像に対して分析を行って、画像のある点の座標値を取得するステップと；
前記画像ポジショニングシステムを利用して、支持板に設置されたセンサーを撮影して、前記センサーの中心における前記画像ポジショニングシステム中の座標値を取得するステップと；
前記画像ポジショニングシステムを利用して、レンズホルダーに収容された鏡筒の底面を撮影するステップであって、前記底面上には、少なくとも三つの円柱が設けられ、各円柱は、底面と離間する面に円形の円形端面を備える、ステップと；
前記画像ポジショニングシステムが、少なくとも三つの円柱の円形端面の中心によって形成された定位円の中心における画像ポジショニングシステム中の座標値を取得するステップと；
センサーの中心の座標値と、定位円の中心の座標値と、を用いて前記画像ポジショニングシステムによって、前記センサーの中心の座標値と前記定位円の中心の座標値とを互いに一致させるように前記レンズホルダーを前記支持板上に組み立てるステップと；
を備えることを特徴とするレンズモジュールの組み立て方法。
【発明の詳細な説明】
【技術分野】
【０００１】
本発明は、レンズモジュール及びその組み立て方法に関するものである。
【背景技術】
【０００２】
従来のレンズモジュールは、レンズホルダー、鏡筒及びセンサーモジュールを備え、鏡筒はレンズホルダーの内部に設置され、レンズホルダーはセンサーモジュール上に設置される。このレンズモジュールを組み立てる過程において、レンズホルダー及びセンサーモジュールは、定位機構によって固定される。例えば、係止溝と係止部とを互いに係止させて固定することで、レンズホルダーとセンサーモジュールとの定位密封精度が高められて、鏡筒の光軸とセンサーモジュールの光軸とを、同軸上に一致させることができる。しかし、係止溝と係止部とを製造する過程において発生する製造誤差、或いは組み立てる過程において発生する組み立て誤差によって、鏡筒とセンサーモジュールとの定位精度が低くなり、鏡筒の光軸とセンサーモジュールとの光軸が一致しない状況が発生する。これにより、レンズモジュールの密封精度も低くなるので、撮影した画質が低くなる可能性がある。
【発明の概要】
【発明が解決しようとする課題】
【０００３】
以上の問題点に鑑みて、本発明は、レンズモジュールの密封精度を高めることができるレンズモジュール及びその組み立て方法を提供することを目のとする。
【課題を解決するための手段】
【０００４】
本発明のレンズモジュールは、レンズホルダー、鏡筒及びセンサーモジュールを備え、前記センサーモジュールは、支持板及びセンサーを備え、前記センサーは前記支持板に設置され、前記レンズホルダーの一端は前記支持板に固定され、前記センサーは前記レンズホルダー及び前記支持板によって形成された収容空間の内部に収容され、前記鏡筒は前記センサーに向かう底面を備え、前記鏡筒の前記底面上には垂直に延伸して形成された少なくとも三つの円柱が設けられ、各円柱は底面と離間する面に円形の円形端面を備え、少なくとも三つの円柱の円形端面の中心が、定位円の円周を形成し、前記定位円の中心は、鏡筒とセンサーとの光軸と一致する。
【０００５】
本発明によるレンズモジュールの組み立て方法は、画像ポジショニングシステムを準備し、画像ポジショニングシステムの所定プログラムによって、取得した画像に対して分析を行って、画像のある点の座標値を取得するステップと；前記画像ポジショニングシステムを利用して、前記支持板に設置されたセンサーを撮影して、前記センサーの中心における前記画像ポジショニングシステム中の座標値を取得するステップと；前記画像ポジショニングシステムを利用して、レンズホルダーに収容された鏡筒の底面を撮影するステップであって、前記底面上には、少なくとも三つの円柱が設けられ、各円柱は、底面と離間する面に円形の円形端面を備える、ステップと；前記画像ポジショニングシステムが、少なくとも三つの円柱の円形端面の中心によって形成された定位円の中心における画像ポジショニングシステム中の座標値を取得するステップと；センサーの中心の座標値と、定位円の中心の座標値と、を用いて前記画像ポジショニングシステムによって、前記センサーの中心の座標値及び前記定位円の中心の座標値を互いに一致させるように前記レンズホルダーを前記支持板上に組み立てるステップと；を備える。
【発明の効果】
【０００６】
本発明のレンズモジュール及びその組立て方法は、鏡筒の底面から垂直に延伸する少なくとも三つの定位柱の円形端面によって一つの定位円が形成され、レンズモジュールを組み立てる際、この定位円の中心をセンサーの光軸と一致させるため、鏡筒とセンサーとを正確に組み立てることができ、レンズモジュールの密封精度を高めることができる。
【図面の簡単な説明】
【０００７】
【図１】本発明に係るレンズモジュールの分解斜視図である。
【図２】図１に示したレンズモジュールの組立斜視図である。
【図３】図２に示したレンズモジュールＩＩＩ−ＩＩＩに沿った断面図である。
【図４】図１に示したレンズモジュールの鏡筒をレンズホルダーに設置した後、上から見た図である。
【図５】本発明に係るレンズモジュールの組立方法のフローチャートである。
【発明を実施するための形態】
【０００８】
以下、図面に基づいて、本発明に係るレンズモジュール及びその組み立て方法について詳細に説明する。
【０００９】
図１〜図４に示したように、本発明に係るレンズモジュール１００は、レンズホルダー１０、鏡筒２０及びセンサーモジュール３０を備える。鏡筒２０は、レンズホルダー１０の内部に収容され、レンズホルダー１０はセンサーモジュール３０上に固定される。
【００１０】
レンズホルダー１０は直方体状であり、収容部１１及び支持部１２を備える。収容部１１は、上表面１１１及び上表面１１１と反対側の下表面１１２を備える。支持部１２は、レンズホルダー１０の下表面１１２における周辺に近接する位置、すなわちレンズホルダー１０の下表面１１２の周囲を囲むように設置されている。収容部１１には、上表面１１１と下表面１１２とを貫通する貫通孔１１３が設けられている。貫通孔１１３は、内壁面１１４を備え、該内壁面１１４には、内ネジ部１１４１が設けられている。
【００１１】
鏡筒２０は、円柱状であり、頂面２１と、頂面２１と反対側の底面２２と、頂面２１と底面２２とを接続する外壁面２３と、を備える。鏡筒２０の底面２２上には、該底面２２に対して垂直に延伸して形成された少なくとも三つの円柱２４が設けられている。この円柱２４が延伸する方向は、鏡筒２０の光軸と平行である。各円柱２４は、底面２２と離間する面に円形の円形端面２４１を備え、それぞれの円形端面２４１の中心は共に定位円２５を形成する。この時、円形端面２４１の中心は、定位円２５の円周上にそれぞれ位置し、定位円２５の中心は、鏡筒２０の光軸上に位置する。
【００１２】
外壁面２３には、外ネジ部２３１が設けられている。鏡筒２０は、外ネジ部２３１と内ネジ部１１４１との螺合によって、貫通孔１１３に収容される。この時、鏡筒２０の底面２２に近接する一端は、収容部１１の下表面１１２から突出している。鏡筒２０は、少なくとも一つのレンズを収容する。
【００１３】
センサーモジュール３０は、支持板３１及び該支持板３１に設置されるセンサー３２を備える。支持板３１はプリント基板であり、センサー３２と支持板３１とは電気的に接続される。センサー３２はその表面に投射された光線を電気信号に変換させる。鏡筒２０が設置された（つまり、鏡筒２０が貫通孔１１３に収容された）レンズホルダー１０を支持板３１上に固定する。この際、センサー３２は鏡筒２０の底面２２に向けて設置され且つ支持部１２と支持板３１とによって形成された収容空間３３の内部に収容される。定位円２５の中心は、センサー３２の光軸に位置するので、鏡筒２０の光軸とセンサー３２の光軸とは一致する。本発明の実施形態において、レンズホルダー１０と支持板３１とは、粘着剤によって固定される。
【００１４】
図５に示したように、レンズモジュール１００の組立方法は、以下のステップを備える。Ｓ１０１において、画像ポジショニングシステムを準備し、この画像ポジショニングシステムの所定プログラムによって取得した画像に対して分析を行って、画像のある点の座標値を取得する。画像ポジショニングシステムは、画像取得機能と、画像分析計算機能と、予備のＸＹ座標のシステムと、を備え、画像ポジショニングシステムの取得範囲内の全ての物は、座標値を有する。
【００１５】
Ｓ１０２において、画像ポジショニングシステムを利用して、支持板３１に固定されたセンサー３２を撮影して、センサー３２の中心における画像ポジショニングシステム中の座標値（Ｘ１、Ｙ１）を取得する。Ｓ１０３において、画像ポジショニングシステムを利用して、レンズホルダー１０に収容された鏡筒２０の底面２２を撮影する。Ｓ１０４において、画像ポジショニングシステムは、少なくとも三つの円柱２４の円形端面２４１の中心によって形成された定位円２５の中心における画像ポジショニングシステム中の座標値（Ｘ２、Ｙ２）を取得する。Ｓ１０５において、センサー３２の中心の座標値（Ｘ１、Ｙ１）と、定位円２５の中心の座標値（Ｘ２、Ｙ２）と、を用いて画像ポジショニングシステムによって、センサー３２の中心の座標値（Ｘ１、Ｙ１）と、定位円２５の中心の座標値（Ｘ２、Ｙ２）と、を互いに一致させるようにレンズホルダー１０を支持板３１上に組み立てる。
【００１６】
本発明のレンズモジュール及びその組み立て方法は、鏡筒の底面から垂直に延伸する少なくとも三つの定位柱の円形端面によって一つの定位円が形成され、レンズモジュールを組み立てる際、この定位円の中心をセンサーの光軸と一致させるため、鏡筒とセンサーとを正確に組み立てることができ、レンズモジュールの密封精度を高めることができる。
【符号の説明】
【００１７】
１００  レンズモジュール
１０  レンズホルダー
１１  収容部
１１１  上表面
１１２  下表面
１１３  貫通孔
１１４  内壁面
１１４１  内ネジ部
１２  支持部
２０  鏡筒
２１  頂面
２２  底面
２３  外壁面
２３１  外ネジ部
２４  円柱
２４１  円形端面
２５  定位円
２６  レンズ
３０  センサーモジュール
３１  支持板
３２  センサー
３３  収容空間
【図１】
2013174878.tif 000003
【図２】
2013174878.tif 000004
【図３】
2013174878.tif 000005
【図４】
2013174878.tif 000006
【図５】
2013174878.tif 000007